(57)【要約】      （修正有）【課題】ダンベルおよびバーベル支持システムを提供する。【解決手段】支持ベース１０と第１のダンベル４と第２のダンベル５とを備える。第１のテーブル３０及び第２のテーブル３１は、支持ベースに取り付けられ、支持ベースに対して回転可能であり、それぞれ第１の作業位置及び第２の作業位置とすることができる。第１のダンベルは、第１のテーブル上に配置され、一つ以上の第１のウェイト部材４０、一つ以上の第２のウェイト部材４１及び第１のハンドルバー４２を有し、第１のハンドルバーは各第１のウェイト部材及び各第２のウェイト部材と係合可能である。第２のダンベルは、第２のテーブル上に配置され、一つ以上の第１のウェイト要素５０、一つ以上の第２のウェイト要素５１及び第２のハンドルバー５２を有し、第２のハンドルバーは各第１のウェイト要素及び各第２のウェイト要素と係合可能である。【選択図】図１
0003225419.tif 000002
【実用新案登録請求の範囲】
【請求項１】
支持ベース（１０）と、第１のダンベル（４）と、第２のダンベル（５）とを備えるダンベル及びバーベル支持システムであって、
第１のテーブル（３０）及び第２のテーブル（３１）は、支持ベース（１０）に取り付けられ、前記支持ベース（１０）に対して回転可能であり、それぞれ第１の作業位置及び第２の作業位置とすることができ、
前記第１のダンベル（４）は、前記第１のテーブル（３０）上に配置され、一つ以上の第１のウェイト部材（４０）、一つ以上の第２のウェイト部材（４１）及び第１のハンドルバー（４２）を有し、前記第１のハンドルバー（４２）は各前記第１のウェイト部材（４０）及び各前記第２のウェイト部材（４１）と係合可能であり、
前記第２のダンベル（５）は、前記第２のテーブル（３１）上に配置され、一つ以上の第１のウェイト要素（５０）、一つ以上の第２のウェイト要素（５１）及び第２のハンドルバー（５２）を有し、前記第２のハンドルバー（５２）は各前記第１のウェイト要素（５０）及び各前記第２のウェイト要素（５１）と係合可能であり、
前記第１のテーブル（３０）及び前記第２のテーブル（３１）が前記第２の作業位置に配置されたとき、各前記第１のウェイト部材（４０）は各前記第２のウェイト部材（４１）の横に配置され、各前記第１のウェイト要素（５０）は各前記第２のウェイト要素（５１）の横に配置され、前記第１のハンドルバー（４２）は各前記第１のウェイト部材（４０）及び各前記第２のウェイト部材（４１）と係合可能であり、前記第２のハンドルバー（５２）は各前記第１のウェイト要素（５０）及び各前記第２のウェイト要素（５１）と係合可能であることを特徴とするダンベル及びバーベル支持システム。
【請求項２】
前記支持ベース（１０）は２つのポスト（１３）を有し、
前記第１のテーブル（３０）及び前記第２のテーブル（３１）は、対応する前記ポスト（１３）と係合するスピンドル（３２）をそれぞれ含み、前記第１のテーブル（３０）及び前記第２のテーブル（３１）は、各前記ポスト（１３）と係合するばね付勢ラッチ（３３）をそれぞれ含み、
前記支持ベース（１０）は、各前記ポスト（１３）上にそれぞれ取り付けられる２つのオリフィス（１６，１７）を有する、請求項１に記載のダンベル及びバーベル支持システム。
【請求項３】
前記第１のテーブル（３０）は、各前記第１のウェイト部材（４０）と係合するための第１のケーシング（３４）及び各前記第２のウェイト部材（４１）と係合するための第２のケーシング（３５）を含み、前記第２のテーブル（３１）は、各前記第１のウェイト要素（５０）と係合するための第１のケーシング（３４）及び各前記第２のウェイト要素（５１）と係合するための第２のケーシング（３５）を含み、ばね付勢キャッチ（４７，５７）が、前記第１のハンドルバー（４２）及び前記第２のハンドルバー（５２）にそれぞれ係合される、請求項１に記載のダンベル及びバーベル支持システム。
【考案の詳細な説明】
【技術分野】
【０００１】
本考案は、１つ以上のダンベルを支持し、ダンベルのウェイト部材をバーに取り付け、バーベルとして使用可能にする支持システムに関する。
【背景技術】
【０００２】
従来のダンベルは、ダンベルとしてのみ使用でき、バーベルとしては使用することができない。
【考案の概要】
【考案が解決しようとする課題】
【０００３】
１つ以上のダンベルを支持し、ダンベルのウェイト部材をバーに取り付け、バーベルとして使用可能にすることを目的とする。
【課題を解決するための手段】
【０００４】
本考案は、支持ベース（１０）と、第１のダンベル（４）と、第２のダンベル（５）とを備えるダンベル及びバーベル支持システムである。
第１のテーブル（３０）及び第２のテーブル（３１）は、支持ベース（１０）に取り付けられ、支持ベース（１０）に対して回転可能であり、それぞれ第１の作業位置及び第２の作業位置とすることができる。
第１のダンベル（４）は、第１のテーブル（３０）上に配置され、一つ以上の第１のウェイト部材（４０）、一つ以上の第２のウェイト部材（４１）及び第１のハンドルバー（４２）を有し、第１のハンドルバー（４２）は各第１のウェイト部材（４０）及び各第２のウェイト部材（４１）と係合可能である。
第２のダンベル（５）は、第２のテーブル（３１）上に配置され、一つ以上の第１のウェイト要素（５０）、一つ以上の第２のウェイト要素（５１）及び第２のハンドルバー（５２）を有し、第２のハンドルバー（５２）は各第１のウェイト要素（５０）及び各第２のウェイト要素（５１）と係合可能である。
第１のテーブル（３０）及び第２のテーブル（３１）が第２の作業位置に配置されたとき、各第１のウェイト部材（４０）は各第２のウェイト部材（４１）の横に配置され、各第１のウェイト要素（５０）は各第２のウェイト要素（５１）の横に配置され、第１のハンドルバー（４２）は各第１のウェイト部材（４０）及び各第２のウェイト部材（４１）と係合可能であり、第２のハンドルバー（５２）は各第１のウェイト要素（５０）及び各第２のウェイト要素（５１）と係合可能である。
【図面の簡単な説明】
【０００５】
【図１】ダンベル及びバーベル支持システムの斜視図である。
【図２】ダンベル及びバーベル支持システムの斜視図である。
【図３】ダンベル及びバーベル支持システムの斜視図である。
【図４】ダンベル及びバーベル支持システムの部分分解斜視図である。
【図５】ダンベル及びバーベル支持システムの部分分解斜視図である。
【図６】ダンベル及びバーベル支持システムの部分分解斜視図である。
【図７】ダンベル及びバーベル支持システムの平面図である。
【図８】ダンベル及びバーベル支持システムの平面図である。
【図９】ダンベル及びバーベル支持システムの部分分解斜視図である。
【図１０】ダンベル及びバーベル支持システムの部分分解斜視図である。
【考案を実施するための形態】
【実施例】
【０００６】
図１〜図６を参照する。本考案のダンベル及びバーベル支持システムは、支持ベース１０と、支持ベース１０の後方部分１２から上方に延び、第１のバー２０、第１のバー２１（図１、図２、図４）、及び１つ以上の別のウェイト部材２２（図２、図９〜図１０）を支持するスタンド１１とを含む。
【０００７】
支持ベース１０は、支持ベース１０の中間部分１４から上方に延在する１つ以上のポスト１３と、各ポスト１３に取り付けられ、各々が１つ以上のオリフィス１６、１７を有する２つのガイド耳部１５とを含む（図５〜図１０）。
【０００８】
第１のテーブル３０、第２のテーブル３１はそれぞれ、ポスト１３と係合して、第１のテーブル３０、第２のテーブル３１が互いに対して傾斜している第１作業位置（図１、図３〜図４、図７）と、支持テーブル３０、３１が互いに整列している第２作業位置（図２、図８）との間で、支持ベース１０に対して回転するスピンドル３２を含む。
【０００９】
第１のテーブル３０、第２のテーブル３１はそれぞれ、各ポスト１３又は各ガイド耳部１５の各２つのオリフィス１６、１７のいずれかと係合可能なばね付勢ラッチ３３を含み、支持ベース１０の選択された作業位置に固定される。
【００１０】
調整可能な第１のダンベル４、第２のダンベル５は、第１のテーブル３０、第２のテーブル３１の上に支持され、各第１のケーシング３４、各第２のケーシング３５が第１のダンベル４、第２のダンベル５を支持するために、第１のテーブル３０、第２のテーブル３１上に取り付けられている。
【００１１】
第１のダンベル４は、一つ以上の第１のウェイト部材４０、一つ以上の第２のウェイト部材４１を含む。第２のダンベル５は、一つ以上の第１のウェイト要素５０、一つ以上の第２のウェイト要素５１を含む。
第１のダンベル４、第２のダンベル５は、それぞれ各第１のウェイト部材４０、各第２のウェイト部材４１及び各第１のウェイト要素５０、各第２のウェイト要素５１と係合する、第１ハンドルバー４２及び第２ハンドルバー５２を含む。
【００１２】
第１のケーシング３４、第２のケーシング３５は、第１のウェイト部材４０、第２のウェイト部材４１及び第１のウェイト要素５０、第２のウェイト要素５１をそれぞれ支持することができる。
【００１３】
第１のケーシング３４、第２のケーシング３５は、それぞれ第１のテーブル３０、第２のテーブル３１に、堅固に又は摺動可能に取り付けることができる。
【００１４】
第１のダンベル４、第２のダンベル５は、互いに対して傾斜した第１のテーブル３０、第２のテーブル３１（図１、図３〜図４、図７）の上に支持することができ、使用者が容易に把持することができる（第１の作業位置）。
【００１５】
各第１のケーシング３４は、第１のテーブル３０、第２のテーブル３１（図５、図６）から取り外し可能であり、各第１のウェイト部材４０、各第２のウェイト部材４１及び各第１のウェイト要素５０、各第２のウェイト要素５１を互いに隣接して支持するために、各第２のケーシング３５（図２）に向かって位置を調整することができる。
【００１６】
各第１のウェイト部材４０及び各第２のウェイト部材４１は、各一方の側にそれぞれダブテールスロット４３（図４）を含み、各他方の側にそれぞれ各第１のウェイト部材４０及び各第２のウェイト部材４１の各ダブテールスロット４３と係合するためのダブテール４４を含む。
各第１のウェイト部材４０、各第２のウェイト部材４１の各ダブテール４４は、互いに向かい合っている。
【００１７】
同様に、各第１のウェイト要素５０、各第２のウェイト要素５１は、各一方の側にダブテールスロット５３を含み、各他方の側にそれぞれ各第１のウェイト要素５０、各第２のウェイト要素５１の各ダブテールスロット５３と係合するためのダブテール５４を含む。
各第１のウェイト要素５０、各第２のウェイト要素５１の各ダブテール５４は、互いに向かい合っている。
【００１８】
第１のハンドルバー４２、第２のハンドルバー５２はそれぞれ、２つのエンドプレート４５、５５を含む。
各エンドプレート４５は、各第１のウェイト部材４０、各第２のウェイト部材４１の各ダブテール４４と係合するための別のダブテールスロット４６をそれぞれ有する。
各エンドプレート５５は、各第１のウェイト要素５０、各第２のウェイト要素５１の各ダブテール４６と係合するための別のダブテールスロット５６をそれぞれ有する。
【００１９】
第１のダンベル４は、選択された数の各ウェイト部材４０、４１を第１ハンドルバー４２に取り付けるための、第１のウェイト部材４０、第２のウェイト部材４１と係合可能な１つ又は複数のばね付勢キャッチ４７を含む。
第２のダンベル５は、選択された数の各ウェイト要素５０、５１を第２ハンドルバー５２に取り付けるための、第１のウェイト要素５０、第２のウェイト要素５１と係合可能な１つ又は複数のばね付勢キャッチ５７を含む。
【００２０】
第１のウェイト部材４０の各ダブテール４４、第２のウェイト部材４１の各ダブテール４４は互いに向かい合っている。
第１のウェイト要素５０の各ダブテール５４、第２のウェイト要素５１の各ダブテール５４も互いに向かい合っている。
【００２１】
図２、図８〜図１０に示すように、第１のテーブル３０、第２のテーブル３１は、第１のテーブル３０、第２のテーブル３１が互いに整列する位置まで、支持ベース１０に対して回転させることができる（第２の作業位置）。
【００２２】
各第１ウェイト部材４０、各第１ウェイト要素５０は、第１のテーブル３０、第２のテーブル３１に対して回転され、各第２ウェイト部材４１、各第２ウェイト要素５１と係合することができる。
【００２３】
第１のバー２０、第２のバー２１は、それぞれ２つの端部パネル２３を含む。
各端部パネル２３は、各ウェイト部材４０のダブテール４４、各ウェイト要素５０のダブテール５４と係合し、各第１のウェイト部材４０、各第２のウェイト部材４１及び各第１のウェイト要素５０、各第２のウェイト要素５１を、第１のバー２０、第２のバー２１に結合するためのダブテールスロット２４を含む。
ばね付勢ロック２５（図９、１０）は、選択された数の第１のウェイト部材４０、第２のウェイト部材４１及び第１のウェイト要素５０、第２のウェイト要素５１を、第１のバー２０、第２のバー２１に取り付けることができる。
【符号の説明】
【００２４】
４  第１のダンベル、５  第２のダンベル、１０  支持ベース、３０  第１のテーブル、３１  第２のテーブル、４０  第１のウェイト部材、４１  第２のウェイト部材、４２  第１のハンドルバー、５０  第１のウェイト要素、５１  第２のウェイト要素、５２  第２のハンドルバー
【図１】
0003225419.tif 000003
【図２】
0003225419.tif 000004
【図３】
0003225419.tif 000005
【図４】
0003225419.tif 000006
【図５】
0003225419.tif 000007
【図６】
0003225419.tif 000008
【図７】
0003225419.tif 000009
【図８】
0003225419.tif 000010
【図９】
0003225419.tif 000011
【図１０】
0003225419.tif 000012